(57)【特許請求の範囲】
【請求項１】
容器本体（１）に突設された噴射ステム（７）に装着される噴射ボタン（１１）を備え、噴射ボタン（１１）の押圧操作によって、噴射ステム（７）から噴射された容器本体（１）の内容物を噴射ボタン（１１）の噴射口（１４）から噴射させるようにした噴射ボタン装置において、
噴射ボタン（１１）の横方向外方を塞ぐカバー壁（２４）と噴射窓（２５）とを有するカバー体（１９）が設けられ、該カバー体（１９）は、噴射ボタン（１１）の噴射口（１４）の前方にカバー体（１９）の噴射窓（２５）を位置させて噴射口（１４）を開放する噴射可能状態と、噴射ボタン（１１）の噴射口（１４）の前方を塞ぐと共に噴射ボタン（１１）を押圧操作した状態に保持する内容物排出状態とに、容器本体（１）に対して選択的に装着可能とされ、
前記カバー体（１９）に、第１嵌着部（３９）と第２嵌着部（４０）とが設けられ、カバー体（１９）を第１嵌着部（３９）で容器本体（１）に装着したとき、前記噴射可能状態となり、カバー体（１９）を第２嵌着部（４０）で容器本体（１）に装着したとき、前記内容物排出状態になるようにしたことを特徴とする噴射ボタン装置。
【請求項２】
前記第１嵌着部（３９）と第２嵌着部（４０）とが、カバー体（１９）の上下方向の互いに逆側に設けられていることを特徴とする請求項１に記載の噴射ボタン装置。
【請求項３】
噴射ボタン（１１）には、横方向外方に突出した係止片（４１）が突設され、カバー体（１９）の内周面に、係止片（４１）を押さえ付ける押圧片（４５）が設けられ、
カバー体（１９）を第１嵌着部（３９）で容器本体（１）に装着したとき、押圧片（４５）が係止片（４１）から外れて、前記噴射可能状態となり、カバー体（１９）を第２嵌着部（４０）で容器本体（１）に装着したとき、押圧片（４５）で係止片（４１）を押さえ付けて噴射ボタン（１１）を押圧操作した状態に保持することにより、前記内容物排出状態になるようにしたことを特徴とする請求項１に記載の噴射ボタン装置。
【請求項４】
容器本体（１）に突設された噴射ステム（７）に装着される噴射ボタン（１１）を備え、噴射ボタン（１１）の押圧操作によって、噴射ステム（７）から噴射された容器本体（１）の内容物を噴射ボタン（１１）の噴射口（１４）から噴射させるようにした噴射ボタン装置において、
噴射ボタン（１１）の横方向外方を塞ぐカバー壁（２４）と噴射窓（２５）とを有するカバー体（１９）が設けられ、該カバー体（１９）は、噴射ボタン（１１）の噴射口（１４）の前方にカバー体（１９）の噴射窓（２５）を位置させて噴射口（１４）を開放する噴射可能状態と、噴射ボタン（１１）の噴射口（１４）の前方を塞ぐと共に噴射ボタン（１１）を押圧操作した状態に保持する内容物排出状態とに、容器本体（１）に対して選択的に装着可能とされ、
噴射ボタン（１１）に、横方向外方に突出した係止片（１６）が設けられ、カバー体（１９）の内周面側に、係止片（１６）を押さえ付ける押圧片（２９）が周方向に設けられると共に、押圧片（２９）を前記係止片（１６）に対応するように切り欠いてなる切欠凹部（３０）が設けられ、
切欠凹部（３０）を係止片（１６）に一致させるように、カバー体（１９）を容器本体（１）に装着したとき、前記噴射可能状態となり、切欠凹部（３０）が係止片（１６）から外れるように、カバー体（１９）を容器本体（１）に装着したとき、噴射ボタン（１１）の噴射口（１４）の前方を前記カバー壁（２４）で塞ぐと共に、押圧片（２９）で係止片（１６）を押さえ付けて噴射ボタン（１１）を押圧操作した状態に保持することにより、前記内容物排出状態になるようにし、
前記係止片（１６）と押圧片（２９）との間には、噴射ボタン（１１）の噴射口（１４）を、カバー壁（２４）の周方向中央部に位置させるように、噴射ボタン（１１）をカバー体（１９）に対して噴射ステム（７）廻りに回動させるカム機構（３１）が設けられていることを特徴とする噴射ボタン装置。
【請求項５】
前記カバー体（１９）の噴射窓（２５）と対向する位置に、噴射ボタン（１１）を指で押圧操作するための操作窓（２６）が設けられていることを特徴とする請求項１又は４に記載の噴射ボタン装置。
【請求項６】
前記噴射ボタン（１１）とカバー体（１９）とは、薄肉切断片（３６）で連結された状態になるように一体成形されていることを特徴とする請求項１又は４に記載の噴射ボタン装置。
【発明の詳細な説明】
【０００１】
【発明の属する技術分野】
本発明は、噴射ボタンの押圧操作によって、液化ガス、ヘアスプレー、殺虫剤スプレー等の容器本体の内容物を、噴射ボタンの噴射口から噴射させるようにした噴射ボタン装置に関する。
【０００２】
【従来の技術】
例えば、液化ガス、ヘアスプレー、殺虫剤スプレー等のエアゾール容器には、容器本体の上端部に、肩部を介して口部が設けられ、口部に該口部の開口を塞ぐようにマウンテンキャップが嵌着され、このマウンテンキャップの中央部に、容器本体内の内容物を外部に噴射する噴射ステムが上方突設され、噴射ステムを押圧操作するための噴射ボタンが、噴射ステムに外嵌装着され、噴射ボタンの押圧操作によって、噴射ステムから噴射された内容物を、その噴射方向を変えて噴射ボタンの噴射口から横方向外方に噴射させるようにしたものがあり、この種の容器では、廃棄回収の際の爆発防止及び環境保護のために、通常の使用後に、残留内容物及び残留ガスを容器本体の底又は側面に孔を開けて、排出処理していた。
【０００３】
ところが、この穿孔作業は面倒であり、残留内容物等を排出処理せずに容器を投棄することも多かった。
そこで、噴射ステムを押圧操作するための噴射ボタンに、ロックバンドを引っ掛けて、噴射ボタンを押圧操作した状態に保持し、これにより、残留内容物を及び残留ガスを排出させるようにしたものがある（例えば特開平１０−５９４４５号公報）。
しかし、この場合、噴射ボタンから直接内容物を外部に噴射させるため、噴射によって、内容物が周囲に広がって、内容物で衣服等の周囲のものを汚してしまうという問題があった。
【０００４】
また、噴射ステム及び噴射ボタン等を包囲するオーバーキャップの上端部等に、噴射ボタンを押圧操作した状態に保持すると共に、噴射ステム及び噴射ボタンを包囲する残留内容物排出治具を設けるようにしたものがある（例えば特開２０００−３３５６６１号公報）。
この場合、内容物が外部に広がることはなく、噴射した内容物で周囲を汚すおそれがなくなるが、この場合、オーバーキャップが必ず必要となり、製造コストが高く付いた。また、オーバーキャップを紛失すると、ガス抜きが不可能になった。
【０００５】
さらに、噴射ボタンの上端部に、容器本体に装着される突出鍔を設け、噴射ボタンを噴射ステムから外した後に、噴射ボタンを上下逆さにして、突出鍔により噴射ボタンを容器本体に装着することによって、噴射ボタンで噴射ステムを押圧して噴射ステムを噴射状態に保持するようにしたものがある（例えば特開平６−６９１８２号公報）。
しかし、この場合、上方突出した突出鍔があるため、噴射ボタンが必要以上に高くなって、噴射ボタンの押圧操作が不安定になるし、また、噴射ボタンが外部に露出された状態のままであることもあって、この部分に外部のものが衝当して、噴射ボタンが不測に噴射ステムから外れたり、噴射ボタンが誤って押圧操作されたりするおそれが大であった。
【０００６】
【発明が解決しようとする課題】
本発明は、上記問題点に鑑み、通常の噴出可能状態では、外部不可抗力によって、噴射ボタンが不測にはずれたり、誤操作されたりするおそれが少なく、また、使用後に、内容物を簡単に排出できると共に、排出した内容物で衣服や周囲を汚すおそれがなくなるようにしたものである。
【０００７】
【課題を解決するための手段】
この技術的課題を解決する本発明の技術手段は、容器本体１に突設された噴射ステム７に装着される噴射ボタン１１を備え、噴射ボタン１１の押圧操作によって、噴射ステム７から噴射された容器本体１の内容物を噴射ボタン１１の噴射口１４から噴射させるようにした噴射ボタン装置において、
噴射ボタン１１の横方向外方を塞ぐカバー壁２４と噴射窓２５とを有するカバー体１９が設けられ、該カバー体１９は、噴射ボタン１１の噴射口１４の前方にカバー体１９の噴射窓２５を位置させて噴射口１４を開放する噴射可能状態と、噴射ボタン１１の噴射口１４の前方を塞ぐと共に噴射ボタン１１を押圧操作した状態に保持する内容物排出状態とに、容器本体１に対して選択的に装着可能とされ、
前記カバー体１９に、第１嵌着部３９と第２嵌着部４０とが設けられ、カバー体１９を第１嵌着部３９で容器本体１に装着したとき、前記噴射可能状態となり、カバー体１９を第２嵌着部４０で容器本体１に装着したとき、前記内容物排出状態になるようにした点にある。
【０００８】
本発明の他の技術手段は、前記第１嵌着部３９と第２嵌着部４０とが、カバー体１９の上下方向の互いに逆側に設けられている点にある。
【０００９】
本発明の他の技術手段は、噴射ボタン１１には、横方向外方に突出した係止片４１が突設され、カバー体１９の内周面に、係止片４１を押さえ付ける押圧片４５が設けられ、
カバー体１９を第１嵌着部３９で容器本体１に装着したとき、押圧片４５が係止片４１から外れて、前記噴射可能状態となり、カバー体１９を第２嵌着部４０で容器本体１に装着したとき、押圧片４５で係止片４１を押さえ付けて噴射ボタン１１を押圧操作した状態に保持することにより、前記内容物排出状態になるようにした点にある。
【００１０】
本発明の他の技術手段は、容器本体１に突設された噴射ステム７に装着される噴射ボタン１１を備え、噴射ボタン１１の押圧操作によって、噴射ステム７から噴射された容器本体１の内容物を噴射ボタン１１の噴射口１４から噴射させるようにした噴射ボタン装置において、
噴射ボタン１１の横方向外方を塞ぐカバー壁２４と噴射窓２５とを有するカバー体１９が設けられ、該カバー体１９は、噴射ボタン１１の噴射口１４の前方にカバー体１９の噴射窓２５を位置させて噴射口１４を開放する噴射可能状態と、噴射ボタン１１の噴射口１４の前方を塞ぐと共に噴射ボタン１１を押圧操作した状態に保持する内容物排出状態とに、容器本体１に対して選択的に装着可能とされ、
噴射ボタン１１に、横方向外方に突出した係止片１６が設けられ、カバー体１９の内周面側に、係止片１６を押さえ付ける押圧片２９が周方向に設けられると共に、押圧片２９を前記係止片１６に対応するように切り欠いてなる切欠凹部３０が設けられ、
切欠凹部３０を係止片１６に一致させるように、カバー体１９を容器本体１に装着したとき、前記噴射可能状態となり、切欠凹部３０が係止片１６から外れるように、カバー体１９を容器本体１に装着したとき、噴射ボタン１１の噴射口１４の前方を前記カバー壁２４で塞ぐと共に、押圧片２９で係止片１６を押さえ付けて噴射ボタン１１を押圧操作した状態に保持することにより、前記内容物排出状態になるようにし、
前記係止片１６と押圧片２９との間には、噴射ボタン１１の噴射口１４を、カバー壁２４の周方向中央部に位置させるように、噴射ボタン１１をカバー体１９に対して噴射ステム７廻りに回動させるカム機構３１が設けられている点にある。
【００１１】
本発明の他の技術手段は、前記カバー体１９の噴射窓２５と対向する位置に、噴射ボタン１１を指で押圧操作するための操作窓２６が設けられている点にある。
本発明の他の技術手段は、前記噴射ボタン１１とカバー体１９とは、薄肉切断片３６で連結された状態になるように一体成形されている点にある。
【００１２】
【発明の実施の形態】
以下、本発明を図示の実施の形態に従って説明する。図１〜図６において、１は液化ガス、ヘアスプレー、殺虫剤スプレー等のエアゾール容器の容器本体で、アルミ、スチール、硝子等により構成されている。容器本体１は、図７にも示すように円筒状に形成され、その上端部には上側に向けて徐々に小径となるように先窄まり状に傾斜した肩部２を介して小径の口部３が形成されている。口部３に該口部３の開口を塞ぐようにマウンテンキャップ４が嵌合固着されている。マウンテンキャップ４はその外周部に口部３に卷回された環状の卷回凸部５を有し、マウンテンキャップ４の中央部には凸部６を介して噴射ステム７が上方突設されている。噴射ステム７は下方に押圧操作されることにより、殺虫剤等の内溶物を上方に向けて噴射するようになっている。
【００１３】
なお、マウンテンキャップ４は容器本体１と同様にアルミ、スチール、硝子等により構成されている。
１１は噴射ステム７を押圧操作するための噴射ボタンで、ポリプロピレン、ポリエチレン等の合成樹脂により形成され、噴射ステム７に外嵌される嵌合凹部１２と嵌合凹部１２に連通する流路１３と噴射口１４とを有し、嵌合凹部１２を介して噴射ステム７に外嵌装着され、噴射ボタン１１の押圧操作によって、噴射ステム７から上方に噴射された内容物を、その噴射方向を変えて噴射ボタン１１の噴射口１４から横方向（径方向、前後左右方向）外方（図例では前方）に噴射させるように構成されている。噴射ボタン１１に、横方向外方（前後方向）に突出した係止片１６が一対設けられ、一対の係止片１６は、互いに噴射ボタン１１の径方向（前後方向）に対応するように配置されている。
【００１４】
１９は噴射ボタン１１の外周を取り囲むカバー体で、ポリプロピレン、ポリエチレン等の合成樹脂により円筒状に形成され、容器本体１の上端部に外嵌固着されている。カバー体１９は、下部側に、円筒状の嵌着部２１と嵌着部２１の外周に位置する円筒状の外壁部２２とを備えると共に、上部側に、噴射ボタン１１の横方向外方を塞ぐ左右一対のカバー壁２４を備え、左右一対のカバー壁２４間の前側に、噴射窓２５が形成され、カバー壁２４間の後側に、噴射ボタン１１を指で押圧操作するための操作窓２６が形成されている。従って、カバー体１９は、噴射ボタン１１の周囲を取り囲むように一対のカバー壁２４と噴射窓２５と操作窓２６とを周方向に有している。
【００１５】
カバー体１９の嵌着部２１はマウンテンキャップ４の卷回凸部５に着脱自在に外嵌され、その下端部には環状の係合突起２８が設けられ、この係合突起２８がマウンテンキャップ４の卷回凸部５の下端縁に下側から係合されている。これにより、カバー体１９は容器本体１の上端部に不測に外れないように強固に嵌合固着される。外壁部２２は嵌着部２１の外周を取り囲み、外壁部２２の下端は、容器本体１の肩部２に接当又は近接されている。
また、カバー体１９の内周面側に、係止片１６を押さえ付ける押圧片２９が、周方向に設けられると共に、押圧片２９を左右に分離するように切り欠いてなる切欠凹部３０が前記係止片１６に対応するように、前後一対設けられている。
【００１６】
従って、押圧片２９は、前後一対の切欠凹部３０を挟んで左右一対配置されており、切欠凹部３０を係止片１６に一致させて、嵌着部２１をマウンテンキャップ４の卷回凸部５に外嵌することにより、カバー体１９を容器本体１に装着したとき、噴射ボタン１１の噴射口１４の前方にカバー体１９の噴射窓２５を位置させて噴射口１４を開放する噴射可能状態になる。また、切欠凹部３０が係止片１６から外れるように（切欠凹部３０を係止片１６に一致させないように）、嵌着部２１をマウンテンキャップ４の卷回凸部５に外嵌することにより、カバー体１９を容器本体１に装着したとき、噴射ボタン１１の噴射口１４の前方を一方のカバー壁２４で塞ぐと共に、押圧片２９で係止片１６を押さえ付けて噴射ボタン１１を押圧操作した状態に保持することにより、噴射ボタン１１を押圧操作した状態に保持する内容物排出状態となるように、構成されている。
【００１７】
また、前記係止片１６と押圧片２９との間には、噴射ボタン１１の噴射口１４を、カバー体１９の一方のカバー壁２４の周方向中央部に位置させるように、噴射ボタン１１をカバー体１９に対して噴射ステム７廻りに回動させるカム機構３１が設けられている。
即ち、各押圧片２９は、周方向の両端（前端及び後端）側から中央部（左端又は右端）側が、その下方突出寸法が徐々に小さくなっており、各押圧片２９の下端面は周方向中央側が徐々に高くなるように傾斜し、各押圧片２９の周方向中央部に係合溝３２が形成されている。従って、切欠凹部３０を係止片１６に一致させないようにして、嵌着部２１をマウンテンキャップ４の卷回凸部５に外嵌することにより、カバー体１９を容器本体１に装着する際に、各押圧片２９の下端面が係止片１６の上端面に接当して上側から押圧し、係止片１６が押圧片２９の下端面を押圧片２９の中央部側に摺動することによって、噴射ボタン１１が噴射ステム７廻りに回動して、係止片１６が押圧片２９の周方向中央部の係合溝３２に一致し、これにより、噴射ボタン１１の噴射口１４を、自動的に、カバー体１９の一方のカバー壁２４の周方向中央部に位置させるようになっている。
【００１８】
前記噴射ボタン１１とカバー体１９とは、図３に示すように、複数の薄肉切断片３６で連結されており、噴射ボタン１１とカバー体１９とは一体成形されている。
上記実施の形態によれば、通常の使用時には、噴射ステム７に外嵌装着した噴射ボタン１１に対して、カバー体１９の切欠凹部３０を噴射ボタン１１の係止片１６に一致させて、嵌着部２１をマウンテンキャップ４の卷回凸部５に外嵌することにより、カバー体１９を容器本体１に装着しておく。なお、このとき、噴射ボタン１１とカバー体１９とは、図３に示すように、複数の薄肉切断片３６で連結した状態にしておいてもよいし、噴射ボタン１１とカバー体１９とを薄肉切断片３６で切断して互いに分離しておいてもよい。
【００１９】
この場合、噴射ボタン１１の噴射口１４の前方にカバー体１９の噴射窓２５を位置させて噴射口１４を開放する噴射可能状態になる。従って、容器本体１内の内容物を噴射するには、指を操作窓２６側から挿入して噴射ボタン１１上に載せ、指で操作ボタン１１を押圧操作すればよく、噴射ボタン１１の押圧操作によって、噴射ステム７から上方に噴射された内容物を、その噴射方向を変えて噴射ボタン１１の噴射口１４からカバー体１９の噴射窓２５を通して横方向外方に噴射させることができる。
【００２０】
この噴射可能状態では、噴射ボタン１１には従来のように上方突出した突出鍔等がないため、噴射ボタン１１が必要以上に高くなるようなことはなくなり、噴射ボタン１１の押圧操作が不安定になるようなこともないし、また、噴射ボタン１１の横方向外方を塞ぐ左右一対のカバー壁２４があるため、噴射ボタン１１に外部のものが衝当して、噴射ボタン１１が不測に噴射ステムから外れたり、噴射ボタン１１が誤って押圧操作されたりするおそれもなくなる。
次に、通常の使用後に、廃棄回収の際の爆発防止及び環境保護のために、残留内容物及び残留ガスを容器本体１から排出処理する場合、一旦、嵌着部２１を巻回凸部５から外して、カバー体１９を容器本体１から取り外し、その後、図４に示すようにカバー体１９をカバー壁２４側を下にして設置し、このカバー体１９に対して、容器本体１を上下逆さにして、噴射ボタン１１を押圧片２９間に位置させると共に、切欠凹部３０が係止片１６から外れるように（切欠凹部３０を係止片１６に一致させないように）して、容器本体１をカバー体１９に対して下方に押し付けることにより、カバー体１９の嵌着部２１をマウンテンキャップ４の卷回凸部５に外嵌させて、カバー体１９を容器本体１に装着すればよい。
【００２１】
この場合、各押圧片２９の下端面が係止片１６の上端面に接当して上側から押圧し、係止片１６が押圧片２９の下端面を押圧片２９の中央部側に摺動することによって、噴射ボタン１１が噴射ステム７廻りに回動して、係止片１６が押圧片２９の周方向中央部の係合溝３２に一致し、これにより、噴射ボタン１１の噴射口１４を、自動的に、カバー体１９の一方のカバー壁２４の周方向中央部に位置させる。
そして、噴射ボタン１１の噴射口１４の前方を一方のカバー壁２４で塞ぐと共に、押圧片２９で係止片１６を押さえ付けて噴射ボタン１１を押圧操作した状態に保持することにより、噴射ボタン１１を押圧操作した状態に保持する内容物排出状態となるので、容器本体１の内容物は、噴射ステム７を介して噴射ボタン１１の噴射口１４からカバー体１９のカバー壁２４に向けて噴射される。その結果、容器本体１の内容物であるガスはカバー壁２４に衝当して、液状となって、カバー体１９の下方に流れ落ちる。
【００２２】
従って、従来のように、内容物が周囲に広がって、内容物で衣服等の周囲のものを汚してしまうようなこともなくなるし、従来のようにオーバーキャップが必ず必要となるようなこともなくなり、製造コストも安上がりになる。しかも、噴射ボタン１１とカバー体１９とは、図３に示すように、複数の薄肉切断片３６で連結されており、噴射ボタン１１とカバー体１９とは一体成形されるため、噴射ボタン１１とカバー体１９とを１ピースの部材として簡単に製造することができる。
【００２３】
図８〜図１３は他の実施形態を示し、噴射ステム７に外嵌される噴射ボタン１１の下部外周に、横方向外方に突出した係止片４１が４個設けられている。この係止片４１は、噴射ボタン１１の外周に不等な間隔をおいて配置されている。その他の噴射ボタン１１の構成は前記実施の形態の場合と同様な構成である。
カバー体１９は、前記実施の形態の場合と略同様に、下部側に、円筒状の第１嵌着部３９と第１嵌着部３９の外周に位置する円筒状の外壁部２２とを備えると共に、上部側に、噴射ボタン１１の横方向外方を塞ぐ左右一対のカバー壁２４を備え、左右一対のカバー壁２４間の前側に、噴射窓２５が形成され、カバー壁２４間の後側に、噴射ボタン１１を指で押圧操作するための操作窓２６が形成されている。
【００２４】
また、前記実施の形態における嵌着部２１の構成と同様に、カバー体１９の第１嵌着部３９はマウンテンキャップ４の卷回凸部５に着脱自在に外嵌され、その下端部には係合突起２８が設けられ、この係合突起２８がマウンテンキャップ４の卷回凸部５の下端縁に下側から係合され、これにより、カバー体１９は容器本体１の上端部に不測に外れないように強固に嵌合固着されるようになっている。
そして、カバー体１９の上端部、即ち左右一対のカバー壁２４の上端部に、第２嵌着部４０が設けられている。この第２嵌着部４０は、一対のカバー壁２４の上端部の内径を、容器本体１の巻回凸部５の外径と略同一の大きさに形成すると共に、一対のカバー壁２４の上端部内周に、巻回凸部５に係脱自在に係合する環状の係合突起４３を形成し、第２嵌着部４０を巻回凸部５に外嵌して係合突起４３を巻回凹部５に係合することによって、第２嵌着部４０でカバー体１９を容器本体１に強固に装着できるようにしたものである。
【００２５】
また、カバー体１９の内周面側に、係止片４１を押さえ付ける押圧片４５が、径方向内方に突出するように設けられると共に、押圧片４５を４個に分離するように切り欠いてなる切欠凹部４６が前記係止片４１に対応するように、４個設けられている。
従って、切欠凹部４６を係止片４１に一致させて、第１嵌着部３９をマウンテンキャップ４の卷回凸部５に外嵌することにより、カバー体１９を容器本体１に装着したとき、噴射ボタン１１の噴射口１４の前方にカバー体１９の噴射窓２５を位置させて噴射口１４を開放する噴射可能状態になるように、構成されている。
【００２６】
また、第２嵌着部４０をマウンテンキャップ４の卷回凸部５に外嵌することにより、カバー体１９を容器本体１に装着したとき、各係止片４１及び各切欠凹部４６は上記の如く不等な間隔をおいて配置されているため、４個のうちの大部分の切欠凹部４６と係止片４１とが一致しなくなり（大部分の切欠凹部４６が係止片４１から外れるようになり）、このため、押圧片４５で係止片４１を押さえ付けることにより、噴射ボタン１１を押圧操作した状態に保持すると共に、噴射ボタン１１の噴射口１４の前方を第１嵌着部３９及び外壁部２２で塞ぐ内容物排出状態となるように、構成されている。
【００２７】
従って、第１嵌着部３９と第２嵌着部４０とが、カバー体１９の上下方向の互いに逆側に設けられ、カバー体１９を第１嵌着部３９で容器本体１に装着したとき、噴射可能状態となり、カバー体１９を第２嵌着部４０で容器本体１に装着したとき、前記内容物排出状態になるようにし構成されている。
また、前記実施の形態の場合と同様に、噴射ボタン１１とカバー体１９とは、図１０に示すように、複数の薄肉切断片３６で連結されており、噴射ボタン１１とカバー体１９とは一体成形されている。
【００２８】
上記実施の形態によれば、通常の使用時には、噴射ステム７に外嵌装着した噴射ボタン１１に対して、カバー体１９の各切欠凹部４６を噴射ボタン１１の各係止片１６に一致させて、第１嵌着部３９をマウンテンキャップ４の卷回凸部５に外嵌することにより、カバー体１９を容器本体１に装着しておけばよく、噴射ボタン１１の噴射口１４の前方にカバー体１９の噴射窓２５を位置させて噴射口１４を開放する噴射可能状態になる。
この噴射可能状態では、噴射ボタン１１が必要以上に高くなるようなことはなくなり、噴射ボタン１１の押圧操作が不安定になるようなこともないし、また、噴射ボタン１１の横方向外方を塞ぐ左右一対のカバー壁２４があるため、噴射ボタン１１に外部のものが衝当して、噴射ボタン１１が不測に噴射ステムから外れたり、噴射ボタン１１が誤って押圧操作されたりするおそれもなくなる。
【００２９】
通常の使用後に、廃棄回収の際の爆発防止及び環境保護のために、残留内容物及び残留ガスを容器本体１から排出処理する場合、一旦、カバー体１９を容器本体１から取り外し、その後、図１１及び図１３に示すように、カバー体１９をカバー壁２４側を上にして設置し、このカバー体１９に対して、容器本体１を上下逆さにして、噴射ボタン１１を左右一対のカバー壁２４間に位置させるようにして、容器本体１をカバー体１９に対して下方に押し付けることにより、カバー体１９の第２嵌着部４０をマウンテンキャップ４の卷回凸部５に外嵌させて、カバー体１９を容器本体１に装着すればよい。
【００３０】
このとき、各押圧片４５が各係止片４１に対して下側から押圧し、押圧片４５で係止片４１を押さえ付けて噴射ボタン１１を押圧操作した状態に保持することにより、噴射ボタン１１を押圧操作した状態に保持すると共に、噴射ボタン１１の噴射口１４の前方を第１嵌着部３９及び外壁部２２で塞ぐ内容物排出状態となるので、容器本体１の内容物は、噴射ステム７を介して噴射ボタン１１の噴射口１４からカバー体１９の第１嵌着部３９に向けて噴射され、容器本体1の内容物であるガスは第１嵌着部３９に衝当して、液状となって、カバー体１９の下方に流れ落ちる。
【００３１】
従って、従来のように、内容物が周囲に広がって、内容物で衣服等の周囲のものを汚してしまうようなこともなくなるし、従来のようにオーバーキャップが必ず必要となるようなこともなくなり、製造コストも安上がりになる。
なお、前記実施の形態では、嵌着部２１、第１嵌着部３９及び第２嵌着部４０を、容器本体１の巻回凸部５に外嵌することによって、カバー体１９を容器本体１に対して装着するようにしているが、カバー体１９の容器本体１への装着は、このような方法に限定されず、例えば、嵌着部２１、第１嵌着部３９又は第２嵌着部４０を、巻回凸部５に内嵌することによって、嵌着部２１、第１嵌着部３９又は第２嵌着部４０でカバー体１９を容器本体１に装着するようにしてもよい。
【００３２】
また、前記実施の形態では、噴射ボタン１１の押圧操作によって、内容物を噴射ボタン１１の噴射口１４から横方向外方（前方）に噴射させるように構成されているが、噴射ボタン１１からの内容物の噴射方向は横方向に限定されず、上方又は斜め上方或いは斜め下方に噴射するようにしてもよい。
【００３３】
【発明の効果】
本発明によれば、通常の噴出可能状態では、外部不可抗力によって、噴射ボタン１１が不測にはずれたり、誤操作されたりするおそれが少なくなる。また、カバー体１９の容器本体１への装着を変更することにより、噴射ボタン１１の噴射口１４の前方を塞ぐと共に、噴射ボタン１１を押圧操作した状態に保持する内容物排出状態に、簡単に変更することができて、使用後に、内容物を簡単に排出できると共に、排出した内容物で衣服や周囲を汚すおそれがなくなる。また、従来のようにオーバーキャップが必ず必要となるようなこともなくなり、製造コストも安上がりになる。
【図面の簡単な説明】
【図１】本発明の一実施の形態を示す使用状態の容器の半欠正面断面図である。
【図２】同使用状態を示す側面断面図である。
【図３】同使用状態を示す平面図である。
【図４】同内容物排出状態を示す側面断面図である。
【図５】同内容物排出状態を示すカバー体及び噴射ボタンの平面図である。
【図６】同カバー体の斜視図である。
【図７】同容器本体の側面断面図である。
【図８】他の実施の形態を示す使用状態の容器の正面断面図である。
【図９】同使用状態を示す側面断面図である。
【図１０】同使用状態を示す平面図である。
【図１１】同内容物排出状態を示す正面断面図である。
【図１２】同内容物排出状態を示すカバー体及び噴射ボタンの平面図である。
【図１３】同内容物排出状態を示す側面断面図である。
【符号の説明】
１      容器本体
７      噴射ステム
１１    噴射ボタン
１４    噴射口
１６    係止片
１９    カバー体
２４    カバー壁
２５    噴射窓
２９    押圧片
３０    切欠凹部
３６    薄肉切断片
３９    第１嵌着部
４０    第２嵌着部
４１    係止片
４５    押圧片
４６    切欠凹部
【図１】
0003881187.tif 000002
【図２】
0003881187.tif 000003
【図３】
0003881187.tif 000004
【図４】
0003881187.tif 000005
【図５】
0003881187.tif 000006
【図６】
0003881187.tif 000007
【図７】
0003881187.tif 000008
【図８】
0003881187.tif 000009
【図９】
0003881187.tif 000010
【図１０】
0003881187.tif 000011
【図１１】
0003881187.tif 000012
【図１２】
0003881187.tif 000013
【図１３】
0003881187.tif 000014